(57)【要約】【課題】  本発明は玉網に係り、フレームに取り付くフレームカバーに改良を加えて、フレームからのフレームカバーの不用意な脱落防止を図った玉網を提供する。【解決手段】  請求項１に係る発明は、柄の一端に取り付くフレームに魚を収容する袋状の網が取り付き、当該フレームの外周に、切り溝を長手方向に入れた断面Ｃ字状の柔軟なフレームカバーを嵌め込んだ玉網に於て、上記フレームカバーの切り溝側の自由端部に、抜止め部を切り溝に沿って設けたことを特徴とする。  また、請求項２に係る発明は、請求項１に記載の玉網に於て、抜止め部は、切り溝に沿ってフレームカバーの内方へ折曲して形成された返し片であることを特徴とし、請求項３に係る発明は、請求項１に記載の玉網に於て、抜止め部は、切り溝に沿って形成された厚肉部であることを特徴とする。【選択図】    図２
2007110958.tif 000002
【特許請求の範囲】
【請求項１】
柄の一端に取り付くフレームに魚を収容する袋状の網が取り付き、当該フレームの外周に、切り溝を長手方向に入れた断面Ｃ字状の柔軟なフレームカバーを嵌め込んだ玉網に於て、
上記フレームカバーの切り溝側の自由端部に、抜止め部を切り溝に沿って設けたことを特徴とする玉網。
【請求項２】
抜止め部は、切り溝に沿ってフレームカバーの内方へ折曲して形成された返し片であることを特徴とする請求項１に記載の玉網。
【請求項３】
抜止め部は、切り溝に沿って形成された厚肉部であることを特徴とする請求項１に記載の玉網。
【請求項４】
厚肉部は、切り溝側の自由端部に断面円形状に設けられていることを特徴とする請求項３に記載の玉網。
【請求項５】
厚肉部は、切り溝側の自由端部に向かって順次肉厚に設けられていることを特徴とする請求項３に記載の玉網。
【発明の詳細な説明】
【技術分野】
【０００１】
本発明は、魚釣りに用いる玉網に係り、詳しくはフレームに装着するフレームカバーに改良を加えた玉網に関する。
【背景技術】
【０００２】
特許文献１または特許文献２に開示されるように、従来、魚釣りに使用される玉網は、柄の一端に取り付くフレーム（網枠）に、魚を収容する袋状の網を取り付けた構造となっている。
図６は特許文献１に開示された玉網を示し、この玉網１は、網３の上端の網目内に線材からなるフレーム５を通した後、フレーム５と網３の保護を図るため、合成樹脂製のホース等の筒状材に細い切り溝７を長手方向に入れた断面Ｃ字状のフレームカバー（保護筒）９を、網３の上からフレーム５の先端側に嵌め込んだ構造となっている。
【０００３】
尚、図中、１１は柄で、その一端に上記フレーム５が取り付けられている。
また、図８乃至図１０は特許文献２に開示された玉網で、この玉網１３は、下方側に入口部１５が狭まった形の凹溝１７を有する平面視円形形状のフレーム１９を軽合金で形成し、当該凹溝１７内に、網２１の上端の網目内に通した弾性部材からなる芯材２３を嵌入させてフレーム１９に網２１を取り付けた構造となっている。
【０００４】
そして、この種の玉網は、魚の取り込み以外に例えばフレームを水中に入れ、その先端側で川底を引っ掻いて川虫を捕集する等の用途にも使用され、既述したように図６の玉網１では、フレームカバー９がフレーム５と網３の保護を図ると共に、魚を取り込む際に、釣糸がフレーム５の先端側の網３に引っ掛かって損傷することがないようにフレームカバー９が釣糸を保護している。
【０００５】
一方、図８の玉網１３は、図１０に示すようにフレーム１９によって網２１の保護や、網２１による釣糸の損傷が防止されるが、例えば上述したように川底を引っ掻いて川虫を捕集する際には、フレーム１９の傷付きを防止するため、既述したフレームカバー９と同一の断面Ｃ字形状からなる合成樹脂製のフレームカバー（図示せず）をフレーム１９の先端側外周に着脱自在に嵌め込んで、フレーム１９先端の保護を図る必要性が生じる。
【特許文献１】特公昭５９−４５３３１号公報
【特許文献２】実開平６−３４４５７号公報
【発明の開示】
【発明が解決しようとする課題】
【０００６】
しかし乍ら、既述したフレームカバー９を始め、従来、この種のフレームカバーは肉厚が均一な断面Ｃ字状の柔軟構造であるため、例えば図１の玉網１を用いて川虫を捕集している際にフレームカバー９に様々な方向から外力が加わると、フレームカバー９が長手方向へ容易に折れ曲がって（立ち上がって）、フレーム５から不用意に外れてしまう虞があった。
【０００７】
そして、水中でフレームカバー９が外れても、釣人が外れたことを瞬時に判断するのは難しく、この結果、フレームカバー９が外れたフレーム５を川底に擦ってフレーム５が損傷したり網が破れ、また、フレームカバー９が流されて紛失してしまう虞もある。
同様に、図８の玉網１３に於ても、肉厚が均一な断面Ｃ字状の柔軟なフレームカバーに様々な方向から外力が加わると、フレームカバー９が長手方向へ容易に折れ曲がってフレームから不用意に外れてしまう虞があった。
【０００８】
本発明は斯かる実情に鑑み案出されたもので、フレームに取り付くフレームカバーに改良を加えて、フレームからのフレームカバーの不用意な脱落防止を図った玉網を提供することを目的とする。
【課題を解決するための手段】
【０００９】
斯かる目的を達成するため、請求項１に係る発明は、柄の一端に取り付くフレームに魚を収容する袋状の網が取り付き、当該フレームの外周に、切り溝を長手方向に入れた断面Ｃ字状の柔軟なフレームカバーを嵌め込んだ玉網に於て、上記フレームカバーの切り溝側の自由端部に、抜止め部を切り溝に沿って設けたことを特徴とする。
また、請求項２に係る発明は、請求項１に記載の玉網に於て、抜止め部は、切り溝に沿ってフレームカバーの内方へ折曲して形成された返し片であることを特徴とし、請求項３に係る発明は、請求項１に記載の玉網に於て、抜止め部は、切り溝に沿って形成された厚肉部であることを特徴とする。
【００１０】
そして、請求項４に係る発明は、請求項３に記載の玉網に於て、厚肉部は、切り溝側の自由端部に断面円形状に設けられていることを特徴とし、請求項５に係る発明は、請求項３に記載の玉網に於て、厚肉部は、切り溝側の自由端部に向かって順次肉厚に設けられていることを特徴とする。
【発明の効果】
【００１１】
各請求項に係る発明によれば、例えば川虫を捕集する際に、フレームカバーをフレームの外周に嵌め込むことでフレームカバーがフレームを保護する。
そして、川底を引っ掻くことでフレームカバーに外力が加わるが、抜止め部を切り溝に沿って設けたことで、フレームカバーの剛性が上がって長手方向へ折れ曲がり（立ち上がり）難くなり、また、フレームカバーに外力が加わっても、抜止め部がフレームカバーの抜け止めを図るため、フレームカバーが不用意に外れることがなくなってフレームの確実な保護が図れることとなった。
【００１２】
更に、請求項４及び請求項５に係る発明によれば、魚の取り込みの際に、釣糸が網に擦れることがないように厚肉部が釣糸と網との接触を防ぐため、釣糸の損傷を軽減できる利点を有する。
【発明を実施するための最良の形態】
【００１３】
以下、本発明の実施形態を図面に基づいて詳細に説明する。
図１及び図２は請求項１及び請求項２に係る玉網の第一実施形態を示し、図１に於て、２５は柄２７の一端に取り付く平面視円形形状のフレームで、図８の玉網１３と同様、本実施形態に係る玉網２９は、フレーム２５が金属（ステンレスやチタン合金等）で形成されて、図２に示すようにその内部に、下方側に入口部３１が狭まった形で開口する凹溝３３が形成されている。そして、当該凹溝３３内に、袋状に形成された網３５の上端の網目内に通した弾性部材からなる芯材３７を嵌入させて、フレーム２５に網３５が取り付いた構造となっている。
【００１４】
そして、フレーム２５の保護を図るため、合成樹脂製のホース等の筒状材に細い切り溝３９を長手方向に入れた断面Ｃ字状のフレームカバー４１が、フレーム２５の外周に着脱自在に嵌め込まれている。
図２に示すようにフレームカバー４１は、切り溝３９側の自由端部を除き、肉厚が均一な断面Ｃ字状に形成され、切り溝３９に網３５が挿通している。そして、切り溝３９側の自由端部には、フレームカバー４１の不用意な抜止めを図るため、フレームカバー４１の内方へ折曲した返し片（抜止め部）４３，４５が、切り溝３９に沿ってフレームカバー４１の長手方向に延長されて連続的または断続的に設けられている。
【００１５】
返し片４３，４５は、フレームカバー４１の切り溝３９の開口に当たる自由端部にて、フレームカバー４１の断面形状がフレーム２５の外周に沿った形状から変移し、折曲したり厚肉になる等、切り溝３９が開き難くなるように他の部分より剛性が大きくなっている。
そして、返し片４３，４５は、斯様に切り溝３９の自由端部の方向をフレーム２５の外周に沿って周回する方向からフレーム２５に向かう方向に折曲しているため、切り溝３９の開口（自由端部）に他物が引っ掛かり難く、更に返し片４３，４５がその先端に向かって先細りとなっていることも相俟って、他物が引っ掛かり難くなっている。
【００１６】
この返し片４３，４５の形状によって切り溝３９の広がりを防止し、返し片４３，４５の先端は入口部３１内に挿入されて、切り溝３９に挿通する網３５を両返し片４３，４５で挟持した構造となっている。
そして、入口部３１内に挿入された返し片４３，４５の先端は、フレームカバー４１がフレーム２５から抜けそうになると、入口部３１に係止してフレームカバー４１の脱落防止を図るようになっている。
【００１７】
本実施形態はこのように構成されているから、既述したように例えば川虫を捕集する際に、上記フレームカバー４１をフレーム２５の外周に嵌め込むことで、フレームカバー４１がフレーム２５を保護する。
そして、川底を引っ掻くことでフレームカバー４１に外力が加わるが、返し片４３，４５を切り溝３９に沿って設けたことで、フレームカバー４１の剛性が上がって切り溝３９が開き難く長手方向へ折れ曲がり（立ち上がり）難くなり、また、フレームカバー４１に外力が加わっても、返し片４３，４５がフレーム２５の入口部３１に当接してフレームカバー４１の折れ曲がりを積極的に防止する。
【００１８】
このため、本実施形態によれば、従来に比しフレームカバー４１が不用意に外れることがなくなり、フレーム２５の確実な保護が図れる利点を有する。
尚、フレームカバー４１が不要なときは、その可撓性を利用して手で切り溝３９を開いて取り外せばよい。
図３は請求項１及び請求項２に係る玉網の第二実施形態を示し、本実施形態に係る玉網４７は、図６の玉網１と同様、網３５の上端の網目内に線材からなる断面が円または楕円形状のフレーム４９を通した後、フレーム４９と網３５の保護を図るため、前記フレームカバー４１を網３５の上からフレーム４９の外周に嵌め込んだもので、切り溝３９を挿通する網３５を両返し片４３，４５で挟持した構造となっている。
【００１９】
而して、本実施形態によれば、魚を取り込む際に、釣糸が網３５に引っ掛かって損傷することがないようにフレームカバー４１が釣糸を保護し、また、例えば玉網４７を水中に入れ、その先端側で川底を引っ掻いて川虫を捕集する際には、フレームカバー４１がフレーム４９と網３５を保護する。
そして、川虫を捕集する際にフレームカバー４１に外力が加わるが、既述したように返し片４３，４５を切り溝３９に沿って設けたことで、フレームカバー４１の剛性が上がって長手方向へ折れ曲がり（立ち上がり）難くなり、また、フレームカバー４１に外力が加わっても、返し片４３，４５がフレーム４９の外周に当接してフレームカバー４１の折れ曲がりを積極的に防止する。
【００２０】
尚、フレーム４９は第一実施形態のような返し片４３，４５が係止される入口部３１を有しないが、返し片４３，４５によって切り溝３９が広がり難くなる。
このため、本実施形態によっても、図６の従来例に比しフレームカバー４１が不用意に外れることがなくなり、フレーム４９や網３５の確実な保護が図れる利点を有する。
図４は請求項１，請求項３及び請求項４の一実施形態に係る玉網を示し、図中、５１は既述したフレームカバー４１と同様、合成樹脂製のホース等の筒状材に細い切り溝５３を長手方向に入れた断面Ｃ字状のフレームカバーで、切り溝５３側の自由端部を除き、肉厚が均一な断面Ｃ字状に形成されている。
【００２１】
そして、本実施形態は、図２の返し片４３，４５に代え、フレームカバー５１の自由端部に、断面円形状の厚肉部（抜止め部）５５，５７を切り溝５３に沿って設けもので、厚肉部５５，５７はフレームカバー５１のその他の部位の肉厚に比し４倍程度の厚みを以って、フレームカバー５１の外方及び内方に膨出するように肉盛りがなされており、両厚肉部５５，５７間の切り溝５３の間隙は、凹溝３３の入口部３１よりも幅狭に設定されている。
【００２２】
尚、その他の構成は図１の実施形態と同様であるので、同一のものには同一符号を付してそれらの説明は省略する。
本実施形態に係る玉網５９はこのように構成されているから、例えば川虫を捕集する際に、図４に示すようにフレームカバー５１をフレーム２５の外周に嵌め込むことで、フレームカバー５１がフレーム２５を保護する。
【００２３】
そして、川底を引っ掻くことでフレームカバー５１に外力が加わるが、切り溝５３に沿ってフレームカバー５１の自由端部に厚肉部５５，５７を設けたことで、フレームカバー５１の剛性が上がって長手方向へ折れ曲がり（立ち上がり）難くなり、フレームカバー５１に外力が加わっても、厚肉部５５，５７がフレーム２５の外周に当接してフレームカバー５１の折れ曲がりを積極的に防止する。
【００２４】
従って、本実施形態によっても、従来に比しフレームカバー５１が不用意に外れることがなくなり、フレーム２５の確実な保護が図れる利点を有する。
また、本実施形態によれば、魚の取り込みの際に、釣糸が網３５に擦れることがないように厚肉部５５，５７がフレームカバー５１の外方に突出するため、釣糸と網３５との接触が防止できて釣糸の損傷を軽減できる利点を有する。
【００２５】
図５は請求項１，請求項３及び請求項５の一実施形態に係る玉網を示し、図中、６１は図２のフレームカバー４１と同様、合成樹脂製のホース等の筒状材に細い切り溝６３を長手方向に入れた断面Ｃ字状のフレームカバーで、本実施形態は、切り溝６３側の自由端部に向かってフレームカバー６１を順次肉厚に設けることで、フレームカバー６１の切り溝６３側の自由端部に厚肉部（抜止め部）６５，６７を切り溝６３に沿って設けたことを特徴とする。
【００２６】
而して、両厚肉部６５，６７は、自由端部の先端に向かって徐々に厚肉になり、自由端部の内側側はフレームカバー６１の内方に向けて僅かに突出した形状となっている。そして、両厚肉部６５，６７間の切り溝６３の間隙は、凹溝３３の入口部３１よりもやや幅狭に設定されている。
尚、その他の構成は図１の実施形態と同様であるので、同一のものには同一符号を付してそれらの説明は省略する。
【００２７】
本実施形態に係る玉網６９はこのように構成されているから、図示するようにフレームカバー６１をフレーム２５の外周に嵌め込むことで、フレームカバー６１がフレーム２５を保護する。
そして、川底を引っ掻いて川虫を捕集する際にフレームカバー６１に外力が加わっても、切り溝６３に沿ってフレームカバー６１の自由端部に厚肉部６５，６７を設けたことで、フレームカバー６１の剛性が上がって長手方向へ折れ曲がり（立ち上がり）難くなり、また、フレームカバー６１に外力が加わっても、厚肉部６５，６７がフレーム２５の外周に当接してフレームカバー６１の折れ曲がりを積極的に防止する。
【００２８】
従って、本実施形態によっても、従来に比しフレームカバー６１が不用意に外れることがなく、フレーム２５の確実な保護が図れる利点を有する。
また、本実施形態に於ても、魚の取り込みの際に、釣糸が網３５に擦れることがないように厚肉部６５，６７が釣糸と網３５との接触を防いで、釣糸を保護することができる利点を有する。
【図面の簡単な説明】
【００２９】
【図１】請求項１及び請求項２の第一実施形態に係る玉網の全体斜視図である。
【図２】図１に示す玉網の要部拡大断面図である。
【図３】請求項１及び請求項２の第二実施形態に係る玉網の要部拡大断面図である。
【図４】請求項１，請求項３及び請求項４の一実施形態に係る玉網の要部拡大断面図である。
【図５】請求項１，請求項３及び請求項５の一実施形態に係る玉網の要部拡大断面図である。
【図６】従来の玉網の平面図である。
【図７】図６のVII−VII線断面図である。
【図８】従来の他の玉網の全体斜視図である。
【図９】図８に示す玉網の分解斜視図である。
【図１０】図８に示す玉網の要部拡大断面図である。
【符号の説明】
【００３０】
２５，４９  フレーム
２７  柄
２９，４７，５９，６９  玉網
３１  入口部
３３  凹溝
３５  網
３７  芯材
３９，５３，６３  切り溝
４１，５１，６１  フレームカバー
４３，４５  返し片
５５，５７，６５，６７  厚肉部
【図１】
2007110958.tif 000003
【図２】
2007110958.tif 000004
【図３】
2007110958.tif 000005
【図４】
2007110958.tif 000006
【図５】
2007110958.tif 000007
【図６】
2007110958.tif 000008
【図７】
2007110958.tif 000009
【図８】
2007110958.tif 000010
【図９】
2007110958.tif 000011
【図１０】
2007110958.tif 000012